Podtech/llm-jp-corpus-v4-ja_patent huggingface dataset:
(57)【要約】【課題】特殊詐欺の犯人は、詐欺のプロであり、心理作戦等も駆して、被害者を騙しにかかる。その為、判断力の衰えた老人一人では、防ぐことは難しい。【解決手段】金融機関や警察は特殊詐欺の防止の為の方法として、子供や孫又は家族に相談しなさいとＰＲしている。それであれば、電話の内容をＡＩプログラムで判断して、もし、特殊詐欺の可能性の高い場合は、本人以外の人の携帯電話に伝えることが解決に繋がる。その判断を本システムでは、（１）家庭内の小型サーバ（フィギア等）、（２）ＡＩスピーカのサーバ、（３）本人以外のチェック代理人（通常は家族）の３段階で行うことが出来る。【選択図】図１
2020135193.tif 000002
【特許請求の範囲】
【請求項１】
電話の受話器に取り付けた装置により、その内容を小型ＡＩ（Artificial Intelligence）サーバに送信する手段と
音声認識とＡＩプログラムにより、その内容を分析し、特殊詐欺の可能性の判断を行う手段と
を有するサーバシステム。
【請求項２】
小型サーバが特殊詐欺の判断をした場合に、ＡＩスピーカにその情報を伝え、ＡＩスピーカのサーバにより、再度、特殊詐欺の判断をし、
ＡＩスピーカのサーバが、その情報を、電話を受けた人以外の携帯電話や警察等に伝える
サーバシステム。
【発明の詳細な説明】
【技術分野】
【０００１】
本発明は、概して、特殊詐欺の防止のための技術に関する。
【背景技術】
【０００２】
振り込め詐欺の防止に関する技術として、特許文献１の技術が知られている。特許文献１によれば、通話の設定時間内における詐欺用語データの発現度から詐欺の危険度を判定することができる。
【０００３】
また、「振り込め詐欺見張隊  新１１７」という商品が発売されている。固定電話に取り付けることにより、通話前に録音されていることを、送信者に伝えられること並びに実際に録音することができ、必要な場合には、本人のアクションにより、あらかじめ登録された電話番号に自動発報する仕組みである。録音されることを犯人に伝えることにより、電話を継続することを嫌う犯人が電話を切ることにより、振り込め詐欺を事前に防止する方法である。
【先行技術文献】
【特許文献】
【０００４】
【特許文献１】特許第6119032号明細書
【発明の概要】
【発明が解決しようとする課題】
【０００５】
電話を受信することから始まる特殊詐欺、特に老人をターゲットとする振り込め詐欺が増加している。この詐欺に対して、有効な防止方法並びに犯人逮捕が難し状況である。電話を受けた老人等は、自分は騙されないと思っている為、その対策を事前に準備することを行わない傾向がある。その為、老人の心理面も考慮して、特殊詐欺の防止と犯人逮捕に繋げることを目指している。
【課題を解決するための手段】
【０００６】
電話の受話器に取り付けた装置により、その内容を小型ＡＩ（Artificial Intelligence）サーバに送信する手段と、音声認識とＡＩプログラムにより、その内容を分析し、特殊詐欺の可能性の判断を行う手段とを、サーバシステムが有する。
【発明の効果】
【０００７】
老人等の一人の判断では、犯人に騙される可能性が高いが、電話の受信内容により、特殊詐欺犯人の可能性を本人以外の（１）ＡＩ小型サーバや（２）ＡＩスピーカそして（３）チェック代理人のチェックを経ることにより、被害が発生する前に特殊詐欺を防止出来る。又、警察への連携により、犯人逮捕に繋げることが出来る。
【０００８】
家庭内に設置する小型ＡＩスピーカをフィギア等の人形にすることにより、老人が、親しみながら、特殊詐欺防止に役に立てることができる。又、自分は、騙されないと思っている老人も子供や孫からのプレゼントであれば、活用してくれる可能性が高い。
【図面の簡単な説明】
【０００９】
【図１】実施形態の概念図。
【発明を実施するための形態】
【００１０】
本発明の一実施形態に係る方法は、図１の例によれば、電話を受けた本人がたとえ騙されても、受信した電話の内容をＡＩサーバがチェックして、特殊詐欺の可能性がある場合には、本人に警告すると同時に本人の家族等へも警告を伝える方法である。
【００１１】
具体的には、犯人より電話がかかってきた場合、電話の受話器に取り付けた装置(無線でも良い）により、小型ＡＩサーバにその内容を伝える。小型ＡＩサーバは、その受信した音声を録音する。小型ＡＩサーバは、老人が好むフィギア等で包んでも良い。小型ＡＩサーバは、電話の途中又は終了した時点で、送られた音声内容をチェックして、特殊詐欺の可能性があると判断した場合は、本人に警告メッセージを知らせる。警告方法は、音声、振動  光の点滅等手段を選ばない。同時に、ＡＩスピーカを通じて、音声で、詳細なチェックを依頼する。その際、録音した内容も伝える。ＡＩスピーカのサーバで調査した結果、特殊詐欺の可能性が高いと判断した場合は、あらかじめ登録されたチェック代理人（通常は家族）の携帯端末に状況を伝える。伝える方法は、音声、メール、ＳＭＳ、ＬＩＮＥ（登録商標）等、種々の方法を採用出来る。
【００１２】
チェック代理人も含めて、最終的に特殊詐欺と確定した場合には、録音された内容を警察等に伝える。
【００１３】
特殊詐欺犯からの判定精度を高める為に、事前に家族等や良くかかってくる人の声を事前に登録しておく。又、小型ＡＩサーバでは、特殊詐欺で良く使われる言葉を登録して、チェックする。例えば「還付金」「会社の使い込」「カバンの置き忘れ」「大きな金額を振り込むまたは現金を用意する」
【００１４】
「カードを取りに行く」等の言葉である。また、必要に応じて、上記チェック内容を更新できるようにする。
【００１５】
以上、実施形態を説明したが、これは本発明の説明のための例示であって、本発明の範囲をこの実施形態にのみ限定する趣旨ではない。本発明は、他の種々の形態でも実行することが可能である。
【符号の説明】
【００１６】
１００：特殊詐欺防止クラウドサービス
【図１】
2020135193.tif 000003
(57)【要約】【課題】焼肉を焼く手間、焼く際にでる大量の煙、臭い、妊娠、出産、又は近隣の焼肉店が２階以上でエレベーター、エスカレーターなどの施設がない店舗では足が不自由な方には来店が困難である。また、共働きの家族も増え料理する時間がない家庭も増えている。【解決手段】生肉を成形、１枚１枚カット、味付け、焼き上げまでの工程を調理し、インターネット、ＦＡＸ、電話などの通信システムを用いて注文し、焼けている状態で焼肉を配送する焼肉の通信販売提供方法とした。【選択図】図１
2020135837.tif 000002
【特許請求の範囲】
【請求項１】
インターネット、ＦＡＸ、電話などの通信システムを用いて購入者が焼肉を注文し、提供側が味付けと焼き上げ、真空パック又はタレが漏れない状態で包装（パック）し、焼けた状態の焼肉を配送提供する焼肉の通信販売提供方法。
【請求項２】
味付け、焼けた状態の肉を焼く手順として、肉をスライスし、一度お湯で肉をボイルし、味付け、次にガス、電気、炭を用いて焼き上げ、肉の中心部まで火を通し、焼き上げた状態にした請求項１の焼肉の通信販売提供方法。
【発明の詳細な説明】
【技術分野】
【０００１】本発明は、インターネット、ＦＡＸ、電話などの通信システムを用いた焼肉通信販売の方法に関するものである。
【背景技術】
【０００２】インターネット、ＦＡＸ、電話などの通信販売は多く存在するが、生肉とタレ又は生肉に味付けされた状態で購入し、購入者又は購入先で生肉を焼く作業をしていた。
【発明の概要】
【発明が解決しようとする課題】
【０００３】インターネット、ＦＡＸ、電話などの通信販売は多く存在するが、生肉とタレ又は生肉に味付けされた状態で購入し、購入先で焼く作業をしなければならない。
１枚、２枚など少量の場合はかなりの手間となる。
また、震災などの災害で電気、ガスが止まった場合は調理することが極めて困難になりその生肉を焼いて食することがとても困難になる。【０００４】購入後の調理工程で焼く量にもよるが大量の煙が発生し、換気、においなどへの対処も考慮しなくてはならなく調理するにも一苦労である。また、調理するにも本格的な焼肉の味を再現するには七厘、網などの専用器具を揃える必要がある。【０００５】焼き鳥で焼き上がって、インターネット、ＦＡＸ、電話などの通信システムを用いて販売してはいるが、焼肉は焼けている状態で提供されていない。
焼肉の肉というジャンルでは類似しているが、あくまで焼き鳥であり、焼肉というジャンルで販売提供はない。【０００６】近日共働きの家庭も増え、料理をする時間も負担になっている。網焼き、又は焼肉専用の鉄板で焼いた焼肉を食するには近隣の焼肉店で食事をする又は、お土産として購入するしかない。帰りが遅くなり、閉店していてはそのことも不可能になる。【０００７】フライパンなどの調理器具を用いて大量の焼肉をする場合は、途中で発生する焦げを取り除き再度焼きの調理をし、又その焦げを取り除き、焼き上げるなど大量の場合は何度も手間をかける必要が生じる。【０００８】例えば４人１家族の場合、自宅で焼肉をしようとしたら相当量の肉を焼かなければならない。そのときに発生する煙は相当量の煙となる。また、焼くのにも相当な時間を費やさなければならない。【０００９】妊娠、出産、足が不自由な方で近隣の焼肉店が２階以上でその店舗にエレベータ、エスカレーターなどの施設がない店舗は足を運ぶのが困難である。
そのような条件の方は焼肉を食したくとも、スーパーに行き焼き上げた状態の焼肉を購入、又は自宅で焼き上げなければならない。
また、自身で買い物に出かけられない方は誰かに買ってきてもらうしかない。【００１０】地鶏の炭火焼き鳥は注文すれば、焼き上げた状態で届く物はあるが、牛タン、焼肉のジャンルは生肉のまま届き、焼き上げるにも一苦労である。
【課題を解決するための手段】
【００１１】本発明はインターネット、ＦＡＸ、電話などの通信システムを用いて焼肉を注文し、味付け、焼けた状態の焼肉を冷蔵、チルド、又は冷凍で配送提供する方法である。【００１２】上記肉を焼く手順として、肉をスライスし、一度お湯で肉をボイルし、次にガス、電気、炭を用いて焼き上げる。この方法でより短時間に肉の中心部まで火を通すことが可能となり、焼き上げた状態で提供できるようになる。
また、生肉を一度ボイルすることにより焼き上げ完了までの時間も短縮され、量産に適するようになる。
【発明の効果】
【００１３】本発明に係る焼けている状態で焼肉の提供によって、購入した肉を焼く際に発生する大量の煙もなく、妊娠、出産、身体の不自由などの理由で焼肉店へ足を運べない方にも焼肉を提供できるようになる。【００１４】一枚一枚食べやすい大きさ、厚さにカットしてあるので災害時の停電で、電気、ガスが止まった場合でも常温に戻し、調理をしなくても食することができる。また、断水時でも洗い物もなく食することが可能である。【００１５】現代社会では共働き、育児、介護などで多忙な毎日を過ごしている家庭が増えている。
そのような家庭でも必ず毎日食事の支度を迫られる。本発明はすでに味付け、焼き上げの調理工程を済ませているので、電子レンジ、湯煎、常温で調理可能となり、短時間で余計な洗い物もなく焼肉を食することが可能となる。
【図面の簡単な説明】
【図１】本発明の製造から発注、発送までの概略図。
【図２】焼肉の処理工程図
【発明を実施するための形態】
以下、本発明の実施の形態を説明する。
（イ）本発明に係る焼肉の提供方法は、インターネット、ＦＡＸ、電話などの通信システムを用いて購入者が焼肉を注文し、提供側が味付け、焼き上げ、真空パック又はタレが漏れない状態で包装（パック）し、焼けた状態の焼肉を配送提供するものである。
（ロ）本発明においては、図２に示すように提供する焼肉は食べやすく、且つ火が通りやすい大きさ、厚さにカットする。
（ハ）カットした生肉の中心部までしっかり火が通るように、一度ボイルしその後タレ、塩タレ、味噌タレで味付け、焼き上げ、仕上げの味付けの調理工程を行う。ボイルすることによって生肉の中心部までより短時間で火が通り、且つ生焼け防止となる。
その後、真空パック、又はタレが漏れない状態で包装（パック）する。
この際、１袋に対して１００グラムなど電子レンジ、湯煎、又は自然解凍で常温又は食べても気にならない程度の温度に戻しやすい量を予め決めて包装する。
（ニ）焼き上げた焼肉は注文後発送できるように冷蔵、チルド、又は冷凍保存する。
（ホ）注文を受けた後、注文数を確認し、箱詰め梱包し宅配便などの流通システムを利用し配送提供する。
（ヘ）本焼肉を受け取った後、冷蔵、チルド、又は冷凍庫で保存し、食べるときに必要な量だけ電子レンジ、湯煎、又は自然解凍で常温に戻し、食することができる。
（ト）１枚、２枚などの少量を食する場合は、電子レンジ又は自然解凍で常温程に戻し食することができる。
（チ）本発明に係る焼肉の提供方法は、上述したものであり、特に購入者が焼き上げる手間、その際にでる大量の煙、臭い、焼肉店の立地条件などを気にせず要望する場所、時間に焼けている状態の焼肉を配送提供するものであるため、食べたいときに食べたい量を食することができるようになる。
【図１】
2020135837.tif 000003
【図２】
2020135837.tif 000004
(57)【要約】【課題】従来のＥＣサイトにおける商品の配送は、ユーザーの登録住所単位で実施されるため、配送事業者においては配達量や再配達回数が増加し配達コストが増える傾向にある。また、購入ユーザーにおいては送料が発注ごとに必要になる。【解決手段】同時期に購入するユーザーの配送先住所からご近所ユーザーをマッチングし、その内の１ユーザー、あるいは集合住宅常勤のコンシェルジュを宛先にして購入した商品をまとめて配送を行う。【選択図】図１
2020135836.tif 000002
【特許請求の範囲】
【請求項１】
ＥＣサイトにて閲覧や購入を開始したユーザーの住所もしくは最も頻繁に送付した実績のある住所をもとに、同時期に閲覧や購入を行なっている他のユーザーで住所もしくは最も頻繁に送付した実績のある住所がご近所のユーザー同士をマッチングする機能を有する。
【請求項２】
マッチングで適合したユーザーにご近所おまとめ配送マッチングサービスの利用を促す機能を有する。
【請求項３】
マッチングユーザー内にご近所配送パートナー、あるいは集合住宅常勤のコンシェルジュがいない場合にマッチングユーザーからご近所配送パートナーを選出し、パートナーメリットを提示してパートナーになってもらうリクエストを行う機能を有する。
【請求項４】
ご近所おまとめ配送マッチングサービス常用ユーザーから選出したご近所配送パートナー、あるいは集合住宅常勤コンシェルジュの住所をおまとめ配送先に指定する機能を有する。
【請求項５】
ＥＣサイトを閲覧中に、ＥＣサイトの閲覧者の住所情報をご近所の住所ごとにグルーピングする機能を有する。
【請求項６】
ＥＣサイト上にマッチングで適合したユーザーに対して「ご近所配送サービス」の利用にてお得になることをリアルタイムに表示し、利用を促す機能を有する。
【請求項７】
物流システムの配送システムにおいて、商品をご近所でまとめて１つの配送物に梱包することを支援する機能。また、その梱包の際に、ご近所配送パートナーもしくは集合住宅常勤コンシェルジュが正しくご近所配送できるようにする支援帳票を作成する機能を有する。
【発明の詳細な説明】
【技術分野】
【０００１】  本発明は、ＥＣサイトで購入ボタンをユーザーが押す際に、同じ購入タイミングで同じＥＣサイト、又は、同じ配送事業者、又は、同じ物流倉庫事業者を使うなどにおいて、システムにより届け先住所が近所の他のユーザーとマッチングし、一人のユーザーや集合住宅常勤のコンシェルジュに対して一括配達とすることで一人当たりの送料と配達コストを削減させる、配送サービスに関する。
【背景技術】
【０００２】  この種の注文配送集約システムとして、ネットワークを用いたサービスを含む商品販売システムに係るシステムが公知である（特許文献１）。そこではユーザーからの注文を、予め指定した納品曜日や納品日や配送業者などの納品条件を決めて、同一ユーザーまたは複数のユーザーからなる小グループ内の１ユーザーが予め指定した納品条件より算出した出荷指示日までに追加で注文した際に、受注した全ての商品を１つの梱包・出荷情報としてまとめて外部出力装置にピッキングリストが出力されることにより、ユーザーに対して一つの梱包として集約して発送を行うようにしている。
【先行技術文献】
【特許文献】
【０００３】
【特許文献１】特開２００４−２７２６９７（Ｐ２００４−２７２６９７Ａ）
【発明の概要】
【発明が解決しようとする課題】
【０００４】  上記の注文配送集約システムによれば、発送まで日にちがある場合にしか対応できないシステムとなっている。また、配送先の特定はなされておらず、同一ユーザーの場合は可能だが、複数のユーザーからなる小グループ内の１ユーザーが多数いた場合は、ラストワンマイル配達に関する問題が解決されない。【０００５】  本発明は、発送まで日にちがある場合とは無関係に、リアルタイムにご近所のユーザーをＥＣサイト上で表示とマッチングさせ、現在購入すると送料がご近所ユーザー数に応じて分割され安くなるメリットを先に提示できることにある。【０００６】  本発明の目的は、複数のユーザーからなるグループをご近所さんとすることで配達パートナーを抱え、ラストワンマイル配達に対応し、ＥＣサイト上でご近所さんと買い物をまとめることで、配達量や再配達回数、配達送料の削減を提供することにある。
【課題を解決するための手段】
【０００７】  本発明に係る配送サービスは、同時期に購入するユーザーの配達先住所からご近所ユーザーをサーチしてマッチングし、同時期に購入した商品をまとめてマッチングしたユーザーの内の一人、あるいは集合住宅常勤コンシェルジュを宛先にして配送を行う。
【発明の効果】
【０００８】  本発明においては、複数の発注が１回の配送にすることができる。これにより配達回数（総数）を削減することができる。また、付随して発生した場合の再配達の回数（総数）も削減することができる。【０００９】  また、配送回数が減る事により配送コストを削減することができる。これにより１ユーザーあたりの送料や商品価格も削減することができる。【００１０】  また、ユーザーにおいては、発注ごとの送料が削減されることでこれまでよりも安く購入できるようになる。【００１１】  また、ＥＣサイトにおいては、価格低減によりユーザーの購買意欲を刺激し購買活動を活発にすることができる。
【図面の簡単な説明】
【００１２】
【図１】本発明を実施するためのシステム構成図である。
【発明を実施するための形態】
【００１３】  図１は本発明サービスシステムの実施例を示す。図１において、ユーザーがＷＥＢサイトで商品を購入する。ユーザーの住所をご近所マッチングシステムでサーチし、ご近所同士をグループ化する。グループ化されたご近所の中からパートナーをサーチし、同時期に購入するユーザー達の商品を配送まとめシステムで１個にまとめる。ユーザー達の内から配達パートナーの１人にまとめた商品を配送する。
【図１】
2020135836.tif 000003
(57)【要約】【課題】高速増殖炉型原子炉炉心の異常加熱、異常蒸気発生を防止し、安全性を高める。【解決手段】Ｌｉ、Ｃａ，Ｂａよりなる共晶成分系冷却材を使用することにより解決する。【特許請求の範囲】
【請求項１】
冷却材の主成分としてＬｉを用い、他の添加成分としてＣａ，Ｂａの１種又は２種を添加し、その添加合計量を４０ａｔｏｍｉｃ％以下として、これら２成分又は３成分で構成される成分系が共晶系となるように成分設計をし、低融点、高沸点特性を持つことを特徴とする高安全性原子力発電用熱媒体冷却材
【発明の詳細な説明】
【技術分野】
【０００１】  原子力発電用特に高速増殖炉型原子力発電構造用の高安全性冷却材を提供する。
【背景技術】
【０００２】高速増殖炉型原子炉のＮａ冷却材の適用が難しい。その原因の一つに炉心部での冷却材ガス蒸気の異常発生があると考えられるが、適切な冷却材がなかった。溶融塩型冷却材も考えられたが、高温では解離現象を起こし、結局は溶融金属冷却法と実質的には同じとみられる。又溶融塩の場合毒性のあるＢｅＦ２の使用を避けられないこともある。
【発明の概要】
【発明が解決しようとする課題】
【０００３】  炉心部での異常加熱と蒸気発生を抑制しうる高熱効率冷却材を提案し問題を解決する。
【課題を解決するための手段】
【０００４】  冷却剤としてＬｉを使用する提案はあるが、更に低融点化、高温蒸気発生を十分に抑制できるかどうかは未知数である。発明者は先に特願２０１７−８３２１５において本発明の内容を申請したが、本願を分割出願せざるを得ず、ここに追加出願するものである。【０００５】  Ｌｉは融点が１８０℃であるが、さらに融点を低下させるために、選定されるのは共晶凝固性のあるＣａ及びＢａである。Ｌｉ−Ｃａ系には７ａｔｏｍｉｃ％Ｃａに共晶点がある。またＬｉ−Ｂａ系には１０．５ａｔｏｍｉｃ％Ｂａに共晶点がある。融点はＬｉ−Ｃａ系は１４０℃、Ｌｉ−Ｂａ系でも１４０℃程度である。したがってＬｉ−Ｃａ−Ｂａ系ではさらに低下が期待できる。したがってこれらの共晶点含有量までの添加は効果的である。また共晶点まではＣａとＢａは相互に固溶性があるので凝固時の偏析の恐れもなく溶融状態でもコロイド化はしない。【０００６】  蒸気化の点ではこれら元素の沸点に着目する。Ｌｉは１３３０℃程度であり、Ｎａの８８３℃より遥かに高い。Ｃａ、Ｂａの沸点もそれぞれ１４８４℃、１６３７℃であり、Ｌｉより更に高く、蒸気化の可能性は小さい。従って炉心用冷却材としてはＬｉ単独で用いるより、Ｃａ、Ｂａ添加系は安全性が高い。又異常加熱しても、Ｃａ、Ｂａ原子がＬｉの突沸現象を抑制するので、Ｌｉ単独冷却材に比し優れた冷却材である。なお不可避不純物の存在は許容するものとする。またＮａはＬｉと全率固溶性があるので、その一部を代替できる可能性はあるが、Ｌｉ分の２０％程度が限度であろう。
更にＣａ、Ｂａは相互に全率固溶性成分であり、Ｌｉとの共晶含有量までに添加を限定すれば、上記の偏析問題も起こらないといえる。又３元系共晶の場合にはＣａ、Ｂａの含有量は両者単独での許容添加量以上に添加できる可能性があるので、その合計添加量を４０ａｔｏｍｉｃ％までとした。
したがってこの冷却材は原子炉炉中冷却用に適しており、１次冷却系冷却材として極めて有効であるといえる。不活性ガス冷却に比し、はるかに高い熱効率が期待できるものである。勿論２次冷却系冷却材、プール型炉の冷却材としての適用も可能である。
【発明の効果】
【０００７】  本冷却材の適用により、高速増殖型炉の異常蒸気発生及び過熱に対する安全性が増す。
(57)【要約】【課題】自由に地図上に複数の位置情報をユーザ側で設定でき、QRコード（登録商標）を作成できるようにする。又、QRコード（登録商標）を読込ことで簡単に目的地へ行くことが出来るようにする。【解決手段】Excelに緯度経度、又は住所を表１の順番で入力し図３で取り込みを行うとQRコード（登録商標）が作成され下段にQRコード（登録商標）を表示することができ、スマートフォンで複数の目的地を表示し番号を付加したマーカーで道案内を行う事ができる。【選択図】図３
2020008598.tif 000002
【特許請求の範囲】
【請求項１】
1個のQRコード（登録商標）を介して複数の地点を番号を付加して表示しコメントの登録により説明文の表示もできる。
このQRコード（登録商標）をパンフレットに掲載することにより旅行者を簡単に案内できる。
又、QRコード（登録商標）に設定する目的地はExcelより簡単に設定が可能である。
今後、観光地だけでなく、定型で配達コースがあるもの訪問看護の道案内についても利用できる。
【発明の詳細な説明】
【技術分野】
【０００１】
本発明は、QRコード（登録商標）を利用して複数のマーカーを地図上に表示するものである。
又、QRコード（登録商標）作成はExcelからのデータ取り込みで行う。
【背景技術】
【０００２】
一般的にQRコード（登録商標）を利用して地図を表示するものはあるが固定されたもので、ユーザが自由にQRコード（登録商標）を設定できるものではない。
【０００３】
改善策として、一般的なExcelを使用して緯度、経度、又は住所を入力したファイルを呼び込むことでQRコード（登録商標）を作成できる。
観光パンフレットにこのQRコード（登録商標）を印刷することで旅行者への道順を表示することが出来る。
【先行技術文献】
【特許文献】
【０００４】
【特許文献１】特開2018-013840
【発明の概要】
【発明が解決しようとする課題】
【０００５】
解決しようとする問題点は、自由に地図上に位置情報をユーザ側で設定できない点である。
【課題を解決するための手段】
【０００６】
本発明は、サーバ上にDBを作成し緯度経度をユーザ側で設定できQRコード（登録商標）を読込することで地図上に目的地を表示するのが特徴である。
【発明の効果】
【０００７】
QRコード（登録商標）を利用することで、旅行者を簡単に目的地へ案内できる。
【図面の簡単な説明】
【０００８】
【図１】図１はシステムの構成を示した説明図である。
【図２】図２はスマートフォンの画面遷移を示した説明図である。
【図３】図３はパソコンの画面を示した説明図である。
【０００９】
【表１】
2020008598.tif 000003
Excelの表
【発明を実施するための形態】
【００１０】
作成されたQRコード（登録商標）をスマートフォンで読込、サーバから緯度経度、住所を取り込む、その後、地図の上に連番のマーカを表示して実現した。
【実施例１】
【００１１】
図１は構成図でサーバ(1)にはデータベース(４)を有し緯度経度、電話番号等を記録している。
【実施例２】
【００１２】
図２は画面遷移（スマートフォン）でQR読込(6)でQR読込画面を表示し目的のQRコード（登録商標）を読込、次に地図の表示(5)で地図の表示エリアに目的の場所を地図上に表示する。
【実施例３】
【００１３】
図３はパソコンの画面で表１で作成したExcelをExcel取り込みボタン(9)で取り込み下段のQRコード（登録商標）表示欄(10)に表示する。
【産業上の利用可能性】
【００１４】
観光客が訪れたときにパンフレットに印刷してあるQRコード（登録商標）を読み込む事で簡単に目的地に行くことが出来る。
【符号の説明】
【００１５】
１    サーバ
２    スマートフォン
３    パソコン
４    データベース
５    地図の表示ボタン
６    QR読込のボタン
7     QR読込画面
８    地図の表示画面
９    Excelの取り込みボタン
１０  QRコード（登録商標）表示欄
【図１】
2020008598.tif 000004
【図２】
2020008598.tif 000005
【図３】
2020008598.tif 000006
(57)【要約】      （修正有）【課題】多彩な音色と長い余韻が得られる鈴装置を提供する。【解決手段】鈴装置において、第１共振部２２が、金属製の共振子２２ａ，２２ｂ，２２ｃが全体として略三角形状に配置してあり、第２共振部２３も共振子２３ａ，２３ｂ，２３ｃが三角形状に配置してある。なお、振動しやすいように共振子２２ｂ，２３ｂと隣の共振子２２ｃ，２３ｃとは、先端部がつながっていない。【選択図】図１
2020008809.tif 000002
【特許請求の範囲】
【請求項１】
複数の共振部からなる共振体を揺動可能に支持部材で支持したことを特徴とする鈴装置。
【請求項２】
前記支持部材で共振体を揺動可能に支持する手段は、前記共振体の中心部を下側から支持部材の先端部にて載置支持するものであることを特徴とする請求項１記載の鈴装置。
【請求項３】
前記支持部材で共振体を揺動可能に支持する手段は、前記共振体の中心部と支持部材とを弾性材で連結してあることを特徴とする請求項１記載の鈴装置。
【発明の詳細な説明】
【技術分野】
【０００１】
本発明は多種多様の音色が得られ、余韻の長い鈴装置に関する。
【背景技術】
【０００２】
本出願人はこれまでに、りん部の振動が阻害されることなく周囲に万遍なく音が広がる仏りんを提案している（特許文献１）。
同公報に開示するりん部は、開放部を下方に向けた椀形であることから得られる音色の幅に限界があった。
そこで本発明者は、仏りんに限定することなく多種多様の音色が得られる鈴装置を検討した結果、本発明に至った。
【先行技術文献】
【特許文献】
【０００３】
【特許文献１】特許第４９０７１４１号公報
【発明の概要】
【発明が解決しようとする課題】
【０００４】
本発明は、多彩な音色と長い余韻が得られる鈴装置の提供を目的とする。
【課題を解決するための手段】
【０００５】
本発明に係る鈴装置は、複数の共振部からなる共振体を揺動可能に支持部材で支持したことを特徴とする。
ここで、複数の共振部からなる共振体とは、２つ又は３つ以上の共振部が共振体の中心部から枝分かれ状に有していることをいう。
【０００６】
本発明において、前記支持部材で共振体を揺動可能に支持する手段は、前記共振体の中心部を下側から支持部材の先端部にて載置支持するものであってもよい。
また、前記支持部材で共振体を揺動可能に支持する手段は、前記共振体の中心部と支持部材とを弾性材で連結してあってもよい。
弾性材で連結する場合には、共振体を下側からのみならず、上側から吊り下げるように支持することもできる。
【発明の効果】
【０００７】
本発明に係る鈴装置は、共振体に複数の共振部を有するとともに、これらが揺動可能に支持されているので、ある１つの共振部を打鈴すると共振体が揺れながら複数の共振部が相互に共振するので、特許文献１に示した椀形の１の共鳴体よりも多種多様の音色を出すことができる。
【図面の簡単な説明】
【０００８】
【図１】（ａ）は本発明に係る鈴装置の構成例を示し、（ｂ）は支持部材から共振体を取り外した状態を示す。
【図２】（ａ）は鈴装置の平面図、（ｂ）はＡ−Ａ線断面図、（ｃ）は上方から見た斜視図を示す。
【図３】（ａ）は鈴装置の実施例２，（ｂ）は実施例３を示す。
【図４】実施例４を示す。
【発明を実施するための形態】
【０００９】
本発明に係る鈴装置の構成例を以下、図に基づいて説明するが、本発明はこれに限定されない。
【００１０】
本発明に係る鈴装置は、共振体２０とこれを支持する支持部材１１からなる。
本実施例は支柱状の支持部材１１が自立するように、支持部材１１の下端部に底面が平坦な座部１２を連結した例になっていて、支持部材１１の先端部１１ａが円錐状になっている。
共振体２０は図２に示すように、中心部に位置する被支持部２１から２つの第１共振部２２，第２共振部２３が枝分かれ状に有している。
また、図２（ｂ）に示すように被支持部２１の下面に設けた凹部２１ａを支持部材１１の先端部１１ａに載置すると点接触になり、左右、前後に揺動可能になるように第１共振部２２，第２共振部２３が、中心部２１から外側斜め下方に向けて延在するように配置されている。
【００１１】
本実施例は第１共振部２２，第２共振部２３の２つの共振部からなる例を示したが、３つ以上の共振部が中心部から放射状に配置されていてもよい。
複数の共振部は相互に共振するように、概ね相互に同じ形状になっている。
本実施例は第１共振部２２が、金属製の共振子２２ａ，２２ｂ，２２ｃが全体として略三角形状に配置してあり、第２共振部２３も共振子２３ａ，２３ｂ，２３ｃが三角形状に配置してある。
なお、振動しやすいように共振子２２ｂ，２３ｂと隣の共振子２２ｃ，２３ｃとは、先端部がつながっていない。
これにより図１（ａ）に示すように、例えば第２共振部２３を打鈴部材３０で打鈴すると、共振部２０が被支持部２１を揺動中心にして揺れるとともに、第２共振部２３の振動が第１共振部に伝わり共振することになり、全体として余韻が長くなる。
【００１２】
本発明において、共振体に各種構造を採用することができる。
図３（ａ）は実施例２を示す。
中心部に位置する被支持部２１ａから、幹部１２２ａ，１２３ａを延出した先に振動子（１２２ｂ，１２２ｃ，１２２ｄ），（１２３ｂ，１２３ｃ，１２３ｄ）を略三角形状にした例である。
図３（ｂ）は実施例３を示し、第１共振部２４，第２共振部２５を略四角形にした例である。
【００１３】
共振体２０を支持部材１１の先端部１１ａに点接触するように載置すると、共振体２０が左右、前後に揺れるだけで回転することもできる。
【００１４】
共振体２０を、支持部材１１の先端部とスプリング，弾性ゴム材等にて弾性連結しても、共振体２０の揺動が可能で振動が長く続く。
【００１５】
図４に実施例４を示す。
先に示した実施例１〜３は、各共振部が複数の共振子を有し、例えば図１では第１共振部２２と第２共振部２３とが被支持部２１を中心に左右及び前後に揺動したり、回転したりする例であった。
これに対して実施例４は、第１の共振部２７，第２の共振部２８及び第３の共振部２９等の複数の共振部が支持部材１１の廻りに支持アーム２６等を介して揺動可能に配置された例である。
この場合に支持アーム２６，第１の共振部２７，第２の共振部２８及び第３の共振部２９のいずれかを打鈴すると、相互に共振する。
このように本発明における複数の共振部とは、支持部材廻りに複数の共振部が揺動可能に配置されていれば、その構造に制限がない。
【符号の説明】
【００１６】
１１      支持部材
１２      座部
２０      共振体
２１      被支持部
２２      第１共振部
２３      第２共振部
【図１】
2020008809.tif 000003
【図２】
2020008809.tif 000004
【図３】
2020008809.tif 000005
【図４】
2020008809.tif 000006
(57)【要約】【課題】それぞれの異なる生地の特徴を生かし、身体の部位、肌質に合わせて使い分けが出来る両面仕様の浴用手袋を提供する。【解決手段】身体を洗う部分となる１と２の異なる素材を両面に設けた浴用手袋を特徴とする。【選択図】図２
2020032155.tif 000002
【特許請求の範囲】
【請求項１】
異なる素材の生地（１）と（２）を併せ持った両面仕様の浴用手袋である。
【発明の詳細な説明】
【技術分野】
【０００１】    この発明は異なる素材を併せ持った両面仕様の浴用手袋に関するものである。
【背景技術】
【０００２】従来、浴用手袋はミトン型、または軍手型のものだった
【発明の概要】
【発明が解決しようとする課題】
【０００５】これは次のような欠点があった。
軍手型は密着性があり着脱も容易ではなく速乾性に欠ける。また同じ糸から編み上げて作られているため質感が同一であり、身体の肌質や部位によっては刺激や物足りなさを感じる。
ミトン型は足の指の間や、耳周りなどの細かい部分は洗いづらい。
【課題を解決するための手段】
【０００６】素材の異なる浴用の生地（肌に触れる部分）（１）と（２）に別の浴用の生地（３）を合わせる（手を入れる内側部分）４層に重ねた生地を手袋型にする。手首にゴムを入れる（４）。本発明は以上の構成よりなる両面仕様の浴用手袋である。
【発明の効果】
【０００７】浴用の生地を使用することで泡立ちが大変よく、速乾性に優れ衛生的である。
生地素材で手袋型に製作している為、密着性が無く着脱もスムーズに行える。身体の部位、肌質、肌の状態に合わせて使い分けが出来、洗いにくい足の指の間や、耳周りなど細かい部分も洗い残しがなくきれいに洗う事が出来る。
洗う側にも適したこの手袋は動き回る小さな子供の身体を洗う際に、介助や介護入浴にも便利である。また犬などペットのシャンプーにもスピーディーに洗える事でストレスがかからず楽に洗うことが出来る。指先を使ことでご高齢者の脳の活性化にも繋がる。
【図面の簡単な説明】
【０００８】
【図１】使用する生地を合わせた側面図である。
【図２】浴用手袋の平面図である。
【発明を実施するための形態】
【０００９】以下、本発明を実施するための形態について説明する
それぞれ質感の違う生地柔らかめ（１）硬め（２）に（３）の生地を合わせた４層によって構成する。手首部分にゴム通しを設けゴムを入れる（４）を合わせる。
本発明は以上のような構造である。
２重構造により泡立ちが持続し耐久性があり手が入れやすく使い易い。
【符号の説明】
【００１０】１  表となる柔らか素材の生地
２  表となるしっかりした素材の生地
３  内側部分の生地
４  ４枚を重ね手袋型に縫製する
５  ゴムを入れる
６  吊るしループを付ける
【図１】
2020032155.tif 000003
【図２】
2020032155.tif 000004
(57)【要約】【課題】本発明は情報面スペースの拡大およびコップ載置時でも情報を見ることができる立体型コースターを提供することにある。【解決手段】本発明の立体型コースター（２）は、平面の紙を自在に折り曲げるこができる山折り線（３）で折り曲げ、差し込み用切込み（４）にストッパー（５）を差し込む事によって立体を形成する。本発明により、立ち上がった情報面に情報を記載する事が可能となり、より多くの情報を掲示する事ができるようになった。またコップ載置でも情報を見ることが可能となった。【選択図】図２
2020032152.tif 000002
【特許請求の範囲】
【請求項１】
平面の紙を自在に折り曲げることができる山折り線（３）で折り曲げ、差し込み用切込み（４）にストッパー（５）を差し込む事によって立体を形成し、立ち上がる面に情報を印刷することのできる立体型コースター（２）
【発明の詳細な説明】
【技術分野】
【０００１】本発明は平面の紙を立ち上げる事により、コップ背面の立体化されたコースターに情報が発信できるような発明である。
【背景技術】
【０００２】従来の平面コースターは、コップの底面に接するコースター面に情報が表記されていたが、コップの置いてある時には情報面の表記は見えない。また、従来のコースターは情報面のスペース量が少ない。
【発明の概要】
【発明が解決しようとする課題】
【０００３】コースターに於ける、情報面スペースの拡大およびコップ載置時でも情報を見ることができるコースターを提供することにある。
【課題を解決するための手段】
【０００４】本発明の立体型コースター（２）は、平面の紙を自在に折り曲げることができる山折り線（３）で折り曲げ、差し込み用切込み（４）にストッパー（５）を差し込む事によって立体を形成する。
【発明の効果】
【０００５】コースターの一部を立体化する事により形成された立体面に情報を記載するスペースが発生する。また、当該スペースに記載された情報はコップを載置しても見ることが可能となる。
【図面の簡単な説明】
【０００６】
【図１】本発明に係る立体型コースターの斜視図である。
【図２】本発明に係る立体型コースターの組立前の平面図である。
【発明を実施するための形態】
【０００７】図２のように、左端から山折り線（３）までの幅をもつコップ底面（６）と、右端から山折り線（３）までの幅をもつ底部（７）は同じ幅である。差し込み用切込み（４）に、ストッパー部の切込み（５）された面の、右端のストッパー山折り線（８）に沿って山折りしながら、ストッパー（５）の左端を山折り線（３）に従って山折りする際に、差し込み用切込み（４）に差し込む事により、立体型コースター（２）が形成される。
【０００８】本発明は、差し込み用切込み（４）に、ストッパー部の切込み（５）を山折り線（３）に従って山折りする際に差し込む事により立体型コースターが形成される。ストッパーの切込み（５）で形成された面が、立体となり情報面（９）として拡大スペースが発生される。
【符号の説明】
【０００９】  １  コップ
２  立体型コースター
３  山折り線
４  差し込み用切り込み
５  ストッパー切り込み
６  コップ底面
７  底部
８  ストッパー山折り線
９  情報面
【図１】
2020032152.tif 000003
【図２】
2020032152.tif 000004
(57)【要約】      （修正有）【課題】洗濯用水、すすぎ用水の給水時間を短縮する。また、冬季や寒冷地における冷水による洗濯効果の悪さを改善する。【解決手段】自動洗濯機よりも上位置に貯水タンクを配置し、自動洗濯機からの信号により予め貯水し、必要温度に加温しておき、洗濯開始の信号により、洗濯槽に必要量の洗濯水を短時間で落差放水して、洗濯運転開始すると同時に、貯水タンクに給水して、次のすすぎ用水の貯水及び温調を開始して、課題の待機時間のロス、洗剤の効力を最大に発揮させることにより、洗濯時間の短縮、洗剤の節約だけではなく、下水道汚染低下への効果がある。【選択図】図１
2020032153.tif 000002
【特許請求の範囲】
【請求項１】
洗濯機を運転開始する前に、洗濯に必要とする最小限以上の水量を、予め貯水する貯水タンク。
【請求項２】
貯水した水を加温し、冬季や寒冷地における冷水を、洗濯に適した温水にする貯水タンク。
【請求項３】
貯水した水を、短時間に洗濯機内に落差放水するために、単数あるいは複数のバルブを有する貯水タンク。
【請求項４】
洗濯機が洗濯運転中に、次の行程、すすぎ用の水を貯水、温調して、洗濯終了、脱水後、直ちに、すすぎ用水を落差放水できる貯水タンク。
【請求項５】
複数回の洗濯を行う場合は、すすぎ脱水行程中に、次の洗濯用水を貯水、温調する貯水タンク。
【発明の詳細な説明】
【発明の詳細な説明】
【技術分野】
【０００１】自動洗濯機の洗濯行程に於ける注水時間を短縮するための貯水タンクに関するものである。
【背景技術】
【０００２】一般的な自動洗濯機に於いて、洗濯時間、すすぎ時間、脱水時間の短縮には、多くの技術的な改良がなされてきたが、注水時間短縮には、配慮が不十分であった。
【先行技術分野】
【０００３】該当する文献無し。
【発明の概要】
【発明が解決しようとする課題】
【０００４】市販されている自動洗濯機は、洗濯時間、すすぎ時間、脱水時間それぞれの短縮には大きな改良がなされているが、洗濯水、すすぎ水の注水時間の短縮への配慮が十分とは言えない状況にあります。
現在の洗濯行程は、洗濯水を必要量給水するまでの数分間、すすぎ水を給水するまでの数分間待たねばならず、１日に数回洗濯を繰り返さなければならない場合など、時間短縮が強く望まれる状況にあります。
また、給水圧が低い状況にある場合は、特に切望されている状況にあります。
本発明は、その問題点を解決するためになされたものであります。
【課題を解決するための手段】
【０００５】これらの注水時間を短縮するために、貯水タンクを洗濯機より高い位置に配置し、水道管などの給水管を連結しておきます。
洗濯を開始する前に、タイマーや携帯電話などで、貯水タンクに給水しておき、必要であれば、ヒーターで希望温度に温調しておき、洗濯開始と同時あるいは直前に、貯水を洗濯槽に落差放水し、１分間以内に洗濯開始します。【０００６】洗濯中に、貯水タンクには、すすぎ用水が給水され、必要に応じて温調もされます。【０００７】洗濯行程終了して、排水、脱水行程が終了したら、直ちに、貯水タンクからすすぎ水が落差放水され、即座にすすぎ行程に入ります。
【発明の効果】
【０００８】このように、洗濯行程中やすすぎ行程中に、次の水が貯水、温調されていますので、時間短縮だけではなく、冬場あるいは寒冷地での冷水による洗濯による汚れ落ちの悪さなどの改善にも大きな効果と洗剤の能力が効率よく働きますので、洗剤の節約そして下水道汚染の低減が期待できます。
【図面の簡単な説明】
【０００９】図１は、自動洗濯機との一体型の側面断面図であります。
９洗濯機本体からの貯水開始信号により２給水バルブが開き、水位が、４水位下限センサーまで達し、洗濯機に支持された水温よりも低い場合は、７ヒーター回路が働き、加温がスタートします。
水位が３水位上限センサーまで達すると、２給水バルブが閉じ、水温の上昇を待ち、水温が指定温度に達すると、８放水バルブが開き、洗濯槽に貯水が放水されます。
９洗濯機本体の水位センサーの指示により、８放水バルブは閉じ、洗濯機が運転を開始します。
同時に、貯水タンクの２給水バルブが開き、次のすすぎ水の貯水を開始します。
【符号の説明】
【００１０】１．通気口
２．給水バルブ            水道水や雨水タンクなどに接続する。
３．水位上限センサー      水位を感知すると２給水バルブを閉じる。
４．水位下限センサー      水位を感知するまで、２給水バルブは開き、水位を感知する                          と、水温コントロール回路が働き、７ヒーターが加温を始め                          る。
５．水温センサー          使用者が指定した温度に達すると、７ヒーターの回路を遮断                          する。
６．過熱防止センサー      ４または５のセンサー類に異常が発生し、６０℃以上を感知                          すると、ヒーター回路を遮断し、アラーム音発生。
７．ヒーター              水温コントロール回路により制御される。
８．注水バルブ            貯水が指定温度に達しており、洗濯開始及びすすぎ開始の信                          号により、バルブが開き、洗濯槽に注水する。
必要水量を短時間で満たすために大口径バルブあるいは複数                          のバルブを設ける。
９．洗濯機本体
【図１】
2020032153.tif 000003
(57)【要約】【課題】短時間で装着でき、痛みが少なく外側から見えない装着中でも外出できる脱落の不安が少ない鼻プチを提供する。【解決手段】シリコンやゴムなどの柔らかい素材で包んだマグネットを使用し、鼻中隔を左右内側から挟み鼻に高さを出す。【選択図】図１
2020032154.tif 000002
【特許請求の範囲】
【請求項１】
外側をシリコンなどの柔らかい素材で包んだ、磁力が強く薄い磁石を使用したプチ整形用品。
【請求項２】
鼻中隔を左右内側から挟む事で鼻に高さを出すプチ整形用品。
【発明の詳細な説明】
【技術分野】
【０００１】  この発明は、外側を柔らかい素材で包んだ磁石で鼻中隔を挟み、鼻に高さを出すことで鼻のコンプレックスを解消する鼻プチに関するものである。
【背景技術】
【０００２】  外側からバネで鼻を挟み鼻に高さを出すものや、棒状のチップを鼻の中へ入れ突っ張ることで鼻に高さを出す鼻プチ製品が公知である。
【発明の概要】
【発明が解決しようとする課題】
【０００３】  従来品は、バネを鼻の外側に取り付けるため外出時には適さない。また別の製品は、棒状のチップを鼻の内側で突っ張るため、活動時に脱落の不安や痛みがあった。
本発明は、以上のような欠点をなくすためになされたものである。
【課題を解決するための手段】
【０００４】  外側から見えない柔らかい素材（２）で包んだ小さなマグネット（１）を使用し、鼻中隔を内側から挟む事で鼻に高さを出す。
【発明の効果】
【０００５】  器具は、小さくて鼻の内側に装着するため目立たず、装着したまま外出できる。また磁石により短時間で装着でき容易に外れない。シリコンのような柔らかい素材で皮膚との接着面を保護し、突っ張るタイプではないため皮膚への負担が少ない。
【図面の簡単な説明】
【０００６】
【図１】本発明の使用時を示した図である。
【図２】断面図
【図３】平面図
【課題を実施するための形態】
【０００７】  以下、本発明を実施するための形態について説明する。
柔らかい素材（２）でマグネット（１）の全体を被う。
本発明は、以上のような構造である。
【符号の説明】
【０００８】  １  マグネット
２  被膜
【図１】
2020032154.tif 000003
【図２】
2020032154.tif 000004
【図３】
2020032154.tif 000005